(57)【要約】【課題】視覚及び音声による情報報知を容易に可能とし、また既存の情報表示板等を活用できる情報報知装置及びサインを提供する。【解決手段】視覚報知手段１及び聴覚報知手段２を備え、聴覚報知手段２がユニット化され視覚報知手段１に対し着脱可能となされていることで、視覚報知手段１及び聴覚報知手段２を一体とせずに別個に作成でき、大型の一体の装置を作成する必要がなく製作に要する手間や費用を小さくできる。またいずれか一方が破損、汚損、故障等により交換や修理が必要となった場合でも、装置全体を交換若しくは修繕する必要がなく、簡便且つ迅速に復旧できる。【選択図】図３
2004245960.tif 000002
【特許請求の範囲】
【請求項１】
利用者に視覚を通じて情報を提供する視覚報知手段と、聴覚を通じて情報を提供する聴覚報知手段とを備え、聴覚報知手段に設けられ、視覚報知手段に対応した押しボタンやタッチパネル等の信号入力手段のスイッチを利用者が入力することで、前記利用者に対し視覚報知手段と併せて聴覚報知手段により情報を報知する装置であって、前記聴覚報知手段がユニット化され、視覚報知手段に着脱可能となされていることを特徴とする情報報知装置。
【請求項２】
視覚報知手段は、既設のものであって、聴覚報知手段は報知する情報を視覚報知手段に記載された情報に適合させて、前記視覚報知手段に取り付けられるものであることを特徴とする情報報知装置。
【請求項３】
請求項１又は２に記載の情報報知装置を備えたことを特徴とするサイン。
【発明の詳細な説明】
【０００１】
【発明の属する技術分野】
本発明は、駅前や公園の入り口等に設置され、主に利用者を目的地に的確に誘導するのに用いられる情報報知装置及びサインに関するものである。
【０００２】
【従来の技術】
従来、情報表示板等利用者の視覚に訴えることで情報を報知する手段と、その情報に対応した音声を押しボタン等により報知する装置に関する発明は極めて多くのものがなされており、これらを組み合わせた装置についても駅前等においてごく一般的に用いられてきているものである。音声による情報の報知は、近年富にバリアフリー化が叫ばれることでその重要性は増しつつある。
【０００３】
【発明が解決しようとする課題】
しかしながら、従来の視覚及び音声により情報を報知する装置は、視覚により情報を報知する手段と音声により情報を報知する手段とが一体化されたものであり、大型で且つ高価なものであった。また既存の情報表示板等を音声による情報報知が可能なものとするには、既存の情報表示板等を撤去して、新たに視覚により情報を報知する手段を設け直す必要があり、既存の情報表示板等が無駄になり、また廃棄物も発生し、更に設置に係わる手間や時間もかかることとなる。
【０００４】
本発明は、上記の如き問題点に鑑みてなされたものであり、視覚及び音声による情報報知を容易に可能とし、また既存の情報表示板等を活用できる情報報知装置及びサインを提供せんとするものである。
【０００５】
【課題を解決するための手段】
上記課題を解決するために、本発明は以下のような構成としている。すなわち、本発明に係わる情報報知装置は、利用者に視覚を通じて情報を提供する視覚報知手段と、聴覚を通じて情報を提供する聴覚報知手段とを備え、聴覚報知手段に設けられ、視覚報知手段に対応した押しボタンやタッチパネル等の信号入力手段のスイッチを利用者が入力することで、前記利用者に対し視覚報知手段と併せて聴覚報知手段により情報を報知する装置であって、前記聴覚報知手段がユニット化され、視覚報知手段に着脱可能となされていることを特徴とするものである。
【０００６】
視覚報知手段及び聴覚報知手段を備え、聴覚報知手段がユニット化され視覚報知手段に対し着脱可能となされていることで、視覚報知手段及び聴覚報知手段を一体とせずに別個に作成でき、大型の一体の装置を作成する必要がなく製作に要する手間や費用を小さくできる。またいずれか一方が破損、汚損、故障等により交換や修理が必要となった場合でも、装置全体を交換若しくは修繕する必要がなく、簡便且つ迅速に復旧できる。
【０００７】
また視覚報知手段は、既設のものであって、聴覚報知手段は報知する情報を視覚報知手段に記載された情報に適合させて、前記視覚報知手段に取り付けられるものであれば、既設の視覚報知手段のみを有する設備に対しても容易に音声案内等の聴覚報知手段を付加することができ好ましい。
【０００８】
また本発明に係わるサインは、本発明請求項１又は２に記載の情報報知装置を備えていることで、上述の効果に加え、視覚報知手段のみが予め設置されているか、又は一旦視覚報知手段のみを設置しておき、誘導の効果や利用者の多寡に応じて必要が生じた際に聴覚報知手段を付加することができ好ましい。
【０００９】
【発明の実施の形態】
本発明に係わる実施の形態について、図面に基づき以下に具体的に説明する。
図１〜図４は、本発明に係わる実施の一形態を示すもので、図１は視覚報知手段を示す説明図、図２は聴覚報知手段を示す説明図、図３は視覚報知装置への聴覚報知装置の取り付けを示す説明図、図４は本発明に係わる情報報知装置を示す説明図である。まず図１において、視覚報知装置１は立設された２本の支柱１１間に○×公園の地図を描画した情報板１２が取り付けられており、情報板１２に描画された内容を視覚により利用者に認知させることで情報報知手段としての機能を果たすものである。
【００１０】
図２において、聴覚報知手段２はイ）に示す如くボックス状にユニット化され、制御盤２１には音声案内のボタンスイッチである信号入力手段２２が設けられている。信号入力手段２２の近傍にはそれぞれの信号入力手段２２に対応した案内文２３が記載されている。案内文２３は文章や記号等で記載されているが、点字を併記したものでもよい。側面には音声を発するスピーカー２４が設けられている。ロ）はイ）におけるＡ−Ａ断面図であるが、視覚報知手段２はボックス状にユニット化され、配線２６や制御装置（図示せず）等が収納される内部は水密構造となされているが、操作盤２１がヒンジ２５により開放可能とされることで、信号入力手段２２等のメンテナンスや、内部に収納された発生する音声に係わるＲＡＭの書き換えなどに対する便宜が図られている。
【００１１】
図３は、視覚報知手段１への聴覚報知手段２の取り付けを示す説明図である。予め視覚報知手段１の情報板１２に記載された情報に基づき、音声により報知する情報の内容を決めておき、その情報を反映させた聴覚報知手段２を、視覚報知手段１を構成する２本の支柱１１に差し渡して取り付けたものである。聴覚報知手段２は、いずれか一方の支柱１１か、情報板１２に取り付けてもよい。取り付けに係わる手段は、ボルト・ナットによるものや、Ｕバンドを用いたもの等、公知の手段であってよい。
【００１２】
図４は、図３に示す取り付けにより形成され、利用者に視覚を通じて情報を提供する視覚報知手段１と、聴覚を通じて情報を提供する聴覚報知手段２とを備え、聴覚報知手段２に設けられ、視覚報知手段１に対応して設けられた信号入力手段２２を利用者が入力することで、前記利用者に対し聴覚報知手段２により情報を報知する装置であって、前記聴覚報知手段２がユニット化され、視覚報知手段に着脱可能となされている情報報知装置１０を示す説明図である。
【００１３】
例えば、地図上のある地点に対応した信号入力手段２２及び案内文２３を操作盤２１上に設けておき、利用者が信号入力手段２２を入力すると、スピーカー２４から音声Ｖによりその地点がどのような場所か、またその地点に向かう方向、所要時間等の情報が報知されるものである。案内文２３が点字や外国語で示されていれば、視覚報知手段１のみでは情報を読み取ることができない視覚障害者や外国人に対しても対応可能とできる。
【００１４】
かかる情報報知装置１０により、既存の視覚報知手段１を活用して聴覚報知手段２を併設し、費用や廃棄物の発生を抑制して視覚及び音声による情報報知を可能とし、利用者に対し判りやすく情報を報知することができると共に、視覚障害者や外国人等に対応できバリアフリー化に貢献することができる。また、視覚報知手段１と聴覚報知手段２は別体とされ着脱可能となされているから、それぞれ視覚報知手段１と聴覚報知手段２を用意しておき、顧客の要望に応じていずれか一方を設置することも可能となり、更には聴覚報知手段２が故障したり不要となった場合でも、取り外しての修理や転用することもできる。
【００１５】
また、取り付けの対象となる視覚報知手段１に応じて、案内文２３及び音声案内の内容を変更し取り付けを行うのみで情報報知手段１０が形成可能であるから、聴覚報知手段２を予め作成しておき、オーダーに応じて即時に対応して出荷でき、納期の短縮にも繋がる。
【００１６】
本発明に係わる情報報知装置１０は、サインであることが好ましい。前述の効果に加え、サインは屋外に設置されるものであり、紫外線による退色が避けられないもので、視覚報知手段１が退色し取り替えが必要となった場合や、音声案内に係わる部位が悪戯により破損したり、雨水の進入により故障等した場合には、従来の一体となされた情報報知装置は大掛かりな取り替えや修理が必要とされていた。更に修理で対応できない場合には装置全体を交換する必要があった。本発明に係わる情報報知装置１０の如き視覚報知手段１及び聴覚報知手段２が着脱可能となされていれば、いずれか一方を取り外し、修理、取り替えができることから迅速且つ容易に復旧することが可能である。
【００１７】
また、情報報知装置１０は図５及び図６に示す如きものであってもよい。図５に示す如く、視覚報知手段１は断面矩形の１本の支柱１１に情報板１２が取り付けられた小型で簡易的なものであるが、かかる視覚報知手段１を活用して、視覚報知手段１の大きさや情報板１２に記載された内容に応じた小型で簡易的な聴覚報知手段２を取り付けることで、図６に示す如くスピーカー２４からの音声Ｖによる情報報知が可能な情報報知装置１０を容易に形成することができる。
【００１８】
更にまた、情報報知装置１０は図７に示す如きものであってもよい。視覚報知手段１は道の分岐点などに設置され、設置された地点から目的地への方向に向けて案内板１３が支柱１１に取り付けられ、利用者が進むべき方向が判りやすく示されているものであるが、視覚に頼るものであり、視覚障害者などには判り辛いものである。かかる視覚報知手段１に聴覚報知手段２を取り付け、案内文２３を点字等により表示しておくことで、信号入力手段２２を押圧した利用者にスピーカー２４からの音声Ｖにより案内板１３と同様の情報を利用者に報知でき、視覚障害者などに対しても情報を提供してバリアフリー化に貢献することができる。
【００１９】
【発明の効果】
視覚報知手段及び聴覚報知手段を備え、聴覚報知手段がユニット化され視覚報知手段に対し着脱可能となされていることで、視覚報知手段及び聴覚報知手段を一体とせずに別個に作成でき、大型の一体の装置を作成する必要がなく製作に要する手間や費用を小さくできる。またいずれか一方が破損、故障等により交換や修理が必要となった場合でも、装置全体を交換若しくは修繕する必要がなく、簡便且つ迅速に復旧できる。
【図面の簡単な説明】
【図１】本発明に係わる視覚報知手段の一例を示す説明図である。
【図２】本発明に係わる聴覚報知手段の一例を示す説明図である。
【図３】本発明に係わる聴覚報知手段の、取り付けの一例を示す説明図である。
【図４】本発明に係わる情報報知装置の、実施の一形態を示す説明図である。
【図５】本発明に係わる聴覚報知手段の、取り付けの他の例を示す説明図である。
【図６】本発明に係わる情報報知装置の、他の実施形態を示す説明図である。
【図７】本発明に係わる情報報知装置の、他の実施形態を示す説明図である。
【符号の説明】
１    視覚報知手段
１１  支柱
１２  情報板
１３  案内板
２    聴覚報知手段
２１  制御盤
２２  信号入力手段
２３  案内文
２４  スピーカー
１０  情報報知装置
【図１】
2004245960.tif 000003
【図２】
2004245960.tif 000004
【図３】
2004245960.tif 000005
【図４】
2004245960.tif 000006
【図５】
2004245960.tif 000007
【図６】
2004245960.tif 000008
【図７】
2004245960.tif 000009